(57)【要約】【課題】  本発明の実施形態によれば、照度ピーク領域が照射領域の中心部からずれる場合に対応可能な照明装置を提供することができる。【解決手段】  実施形態に係る照明装置は、照明光を出射する発光部と；前記発光部から出射される前記照明光の配光特性に応じて前記発光部に対する設置角度を変更可能な照準器と；を有する。これにより、照度ピーク領域が照射領域の中心部からずれる場合に対応可能な照明装置を提供することができる。【選択図】図１
2016066483.tif 000002
【特許請求の範囲】
【請求項１】
照明光を出射する発光部と；
前記発光部から出射される前記照明光の配光特性に応じて前記発光部に対する設置角度を変更可能な照準器と；
を有する照明装置。
【請求項２】
前記発光部は、複数の発光器を有する請求項１に記載の照明装置。
【請求項３】
各発光器は、発光ダイオードである請求項２に記載の照明装置。
【請求項４】
前記照準器は、前記照準器による前記照明光の照射ポイントのエーミング操作に対して、前記照明光が照射される領域面の法線方向に対する前記照明光の光軸の角度を大きくするように前記設置角度が調整される
ことを特徴とする請求項１乃至３のいずれか１つに記載の照明装置。
【請求項５】
前記照明装置は、投光器である請求項１乃至４のいずれか１つに記載の照明装置。
【発明の詳細な説明】
【技術分野】
【０００１】
本発明の実施形態は、照明装置に関する。
【背景技術】
【０００２】
従来より、グラウンドなどを照明する投光器などの照明装置が広く利用されている。例えば、投光器は、発光部としてのハロゲンランプを有し、スポットライトなどとして用いられる。
【０００３】
また、近年は、高寿命化、省エネルギー化、軽量化などのために、固体発光素子としての発光ダイオード（以下、LEDという）を発光部として備えるものがある。このようなLEDタイプの投光器は、例えば面実装された複数のLEDと反射体とを有している。
【０００４】
投光器は、照準器を備えているものもあり、照明ポイントのエーミングができるようになっている。  
【０００５】
ハロゲンランプなどを利用した照明装置の場合、照射領域の中心部の照度ピーク領域が広いため、照度ピークとエーミングポイントの位置ずれはし難い。
【０００６】
しかし、LEDなどを利用した照明装置の場合、照射領域の中心部の照度ピーク領域が狭いため、照明する面に対して直角でなく角度を持って照明光を照射すると、照射領域中の照度ピーク領域が照射領域の中心部からずれてしまうという問題がある。そのため、照明装置に設けられ固定された照準器を利用して、照明装置の照射ポイントのエーミングを行っても、照度ピーク領域が照射領域の中心部からずれてしまうという問題がある。  
【０００７】
照度ピーク領域が照射領域の中心部からずれると、照度ピーク領域が照射領域の中心部になるように、調整作業が行われる。
【先行技術文献】
【特許文献】
【０００８】
【特許文献１】特開２０１４−８６１５９号公報
【発明の概要】
【発明が解決しようとする課題】
【０００９】
そこで、実施形態は、照度ピーク領域が照射領域の中心部からずれる場合に対応可能な照明装置を提供することを目的とする。
【課題を解決するための手段】
【００１０】
実施形態に係る照明装置は、照明光を出射する発光部と；前記発光部から出射される前記照明光の配光特性に応じて前記発光部に対する設置角度を変更可能な照準器と；を有する。
【発明の効果】
【００１１】
本発明の実施形態によれば、照度ピーク領域が照射領域の中心部からずれる場合に対応可能な照明装置を提供することができる。
【図面の簡単な説明】
【００１２】
【図１】実施形態に関わる照明装置の断面図である。
【図２】実施形態に関わる照明装置１が照明するグラウンド上の配光状態を説明するための図である。
【図３】実施形態に関わる照明装置１の光度分布を説明するためのグラフである。
【図４】実施形態に関わる、グラフG2のような光度分布を有する照明装置の照射面分布を示す図である。
【図５】実施形態に関わる、グラフG1のような光度分布を有する照明装置１の照射面分布を示す図である。
【発明を実施するための最良の形態】
【００１３】
本実施の形態は、照明光を出射する発光部と；前記発光部から出射される前記照明光の配光特性に応じて前記発光部に対する設置角度を変更可能な照準器と；を有する。
【００１４】
前記発光部は、複数の発光器を有する。
【００１５】
各発光器は、発光ダイオードである。
【００１６】
前記照準器は、前記照準器による前記照明光の照射ポイントのエーミング操作に対して、前記照明光が照射される領域面の法線方向に対する前記照明光の光軸の角度を大きくするように前記設置角度が調整される。
【００１７】
前記照明装置は、投光器である。
【００１８】
以下、図面を参照して本発明の実施の形態について詳細に説明する。
【００１９】
図１は、本実施形態に関わる照明装置の断面図である。  
【００２０】
照明装置１は、投光器であり、照準器２を有する。照明装置１は、競技場等に設置され、グラウンドなどに対して光を照射する。
【００２１】
照明装置１は、複数の発光部１１と、筐体としての放熱体１２と、放熱体１２に取り付けられた複数の、ここでは７個の、反射体１３と、放熱体１２の前面に取り付けられたカバー部１４と、電源部１５とを有している。  
【００２２】
各発光部１１は、発光素子としてのLED素子を有する。各LED素子は、COB（Chip On Board）方式あるいはSMD(Surface Mount Device)方式により基板上に実装されている。
【００２３】
放熱体１２は、底面部１２ａを有し、さらに、底面部１２ａよりも前側には、複数の発光部１１を収容する空間を形成する側壁部１２ｂを有し、後側には、複数の放熱フィン１２ｃを有している。放熱体１２は、例えばアルミニウム、あるいはアルミダイカストなどの、放熱性に優れた軽量の部材によって一体に形成されている。
【００２４】
平板状の底面部１２ａには、複数の発光部１１が熱的に接続されて固定されている。側壁部１２ｂは、底面部１２ａの全周に亘って連続する壁状に形成されており、例えば６つの辺部を備え、反射体１３の全体の周囲を枠状に囲んでいる。
【００２５】
各反射体１３は、前後両端が開口した円筒状を有し、後側から前側へと徐々に拡径する放物面状に形成されており、内面すなわち反射面が鏡面状となっている。各反射体１３の中央部には、発光部１１が配置されている。
【００２６】
カバー部１４は、透光性を有するガラスなどの部材により例えば六角形板状に形成されたカバー部本体としてのカバー１４ａと、このカバー１４ａの外縁部を保持する六角形枠状の枠体１４ｂとを備えている。
【００２７】
電源部１５は、例えば四角形状のケース内に複数の電源がマトリクス状に配置されており、各発光部１１に対して所定の直流電源を供給するようになっている。  
【００２８】
照準器２は、その照準方向が変更可能な支持部材２ａにより支持され、放熱体１２に設置されている。照準器２は、２つの孔を有するもの、レーザービームポインタ等である。
【００２９】
ここでは、照準器２は、支持部材２ａに対して、ネジ２ｂにより固定されている。後述するように、ネジ２ｂを緩めることにより、照準器２の照準方向を変更することができる。すなわち、照準器２は、複数の発光部１１に対する設置角度を変更することができるようになっている。
【００３０】
照明装置１には、ポール等の構造物に対して固定するためのアーム１６（点線で示す）が取り付けられている。アーム１６は、照明装置１を、ポール等の構造物に対して所定の位置と角度で固定するためのものであり、ここでは、側壁部１２ｂの外側の一部を囲むようなＵ字形状を有している。
【００３１】
照明装置１の照明光は、カバー部１４から所定の光軸方向に向けて出射される。  
【００３２】
ここで、照明装置１が、例えばグラウンドなどを照明する場合を説明する。  
【００３３】
図２は、照明装置１が照明するグラウンド上の配光状態を説明するための図である。
【００３４】
照明装置１がグラウンドGに設置されたポールPに固定され、図２において、２点鎖線で示す矩形の空間Ｓ内の一部に投光している。  
【００３５】
照明装置１は、ポールPの先端に固定され、所定の範囲を照明する。例えば、照明装置１は、グラウンドGから５０ｍの高さで、照明光の出射方向が垂直方向に対して２０度となるようにポールPに設置され固定される。
【００３６】
ここでは、照明装置１の照射面分布が所定の分布となるように、照明装置１の光度分布が調整される。光度分布については後述する。  
【００３７】
図２に示すように、照明光は、グラウンドGに対して角度を持って照射される。すなわち、照明光は、照明光が照射される領域面の法線方向（垂直方向）に対して、０度でなく、角度を持って照射される。
【００３８】
そのため、照明光の照射領域DL中の照度ピーク領域DLCは、照射領域DLの中心部からずれている。これは、LEDを利用した投光器の中心部の照度ピーク領域が狭いため、照射領域DL中の照明装置１に近い側に、照度ピーク領域DLCが移動してしまうからである。図２においては、照準器２の照準は照射領域DLの中心Cに合っているが、照度ピーク領域DLCは、ポールP側に寄っている。
【００３９】
そこで、本実施形態の照明装置１の照準器２は、放熱体１２に対する設置角度が変更可能であるため、照準を変更することができる。  
【００４０】
図２に示すように、照準器２の放熱体１２に対する設置角度をどの程度補正あるいは変更すれば、照度ピーク領域DLCが、照準を定めたグラウンドG上の点Cと一致するかは、照明装置１が設置される高さ、垂直方向（あるいは水平方向）に対する照明光の出射角度、及び配光特性に応じて計算により、予め知ることができる。  
【００４１】
照明装置１を設置する調整者は、照準器２の放熱体１２に対する設置角度を、その設置角度の補正値θだけ補正あるいは変更する。
【００４２】
すなわち、照準器２は、発光部１１から出射される照明光の配光特性に応じて発光部１１に対する設置角度を変更可能となっている。よって、照準器２の照準を照射領域DLの中心である点Cに合わせたときに、照度ピーク領域DLCがグラウンドG上の点Cと一致するように、照明装置１に対する照準器２の角度が補正値θだけ変更される。
【００４３】
従って、ポールPの高さと、グラウンドGに対する照明光の出射角度と、照明装置１の配光特性に応じて、照明装置１に対する照準器２の角度の補正値θを、表などに予め纏めておき、照明光の調整をする調整者は、照明装置１が設置される高さ、出射角度、及び配光特性に応じた角度補正値を、その表を参照して得て、照明装置１に対する照準器２の設置角度を調整する。
【００４４】
その照準器２の角度が調整された照明装置１の照準器２を用いて、照準を定めると、照準の定めた位置に照度ピーク領域DLCを位置させることができる。  
【００４５】
その結果、図２の場合、照準器２で点Cに照準が定められると、照準器２の照準方向TDと、照明光の出射方向Laは異なっているが、点Cに照度ピーク領域DLCが位置することになる。
【００４６】
次に、照明装置１の光度分布について説明する。グレアを抑制するために、照射領域内の配光特性を調整することが望ましい。  
【００４７】
図３は、照明装置１の光度分布を説明するためのグラフである。図３は、照明光の光軸に対する角度に応じた光度を示す図である。図３の縦軸は、光度（カンデラ）であり、横軸は、照明光の出射方向の中心を０度したときの、照明光の出射角度である。図３のグラフG1 ，G2 は同一光束を得る２つの照明装置における光度分布を示している。グラフG2 は、ピーク光度が比較的高い光度分布の例を示している。
【００４８】
図４は、グラフG2のような光度分布を有する照明装置の照射面分布を示す図である。図４は、２点鎖線で示す大きな楕円が照明範囲を示し、照明範囲内において、より小さな楕円の内部の方が、照度がより高いことを示している。照明装置１が図３のグラフG2に示すような光度分布を有すると、図４に示すように、照射領域DLの照射面分布の照度ピーク領域DLCにおける照度ピーク値が高くなり、グレアが発生し易い。  
【００４９】
これに対し、グラフG1 は、グラフG2 の例よりもピーク光度が低く、且つ照射面分布を台形状とする光度分布を示している。  
【００５０】
グラフG1 にて示す照明装置は、照明光の光軸の中心から５度までの範囲では一定の光度で、５度から１３度までの範囲では、単調減少するように変化する光度で、１５度を超えると光度がゼロとなるような台形の光度分布を、照明光が有するように、調整される。
【００５１】
照明装置１の照明光が図３のグラフG1のような光度分布を有する場合、照明装置１から照射された照明光は、グラウンドG上では、図２の点線で示すような配光となる。
【００５２】
図５はグラフG1のような光度分布を有する照明装置１の照射面分布を示す図である。図５は、２点鎖線で示す大きな楕円が照明範囲を示し、照明範囲内において、より小さな楕円、あるいは一部がカットされた楕円の内部の方が、照度がより高いことを示している。照明装置１が図３のグラフG1に示すような光度分布を有すると、図５に示すように、照射領域DLの照射面分布の照度ピーク領域DLCでは、照度ピークが抑制され、グレアを生じにくい。
【００５３】
よって、図３のグラフG1 に示すような高度分布を有する照明装置を照明装置１として用いることにより、グレアを抑制することができる。そこで、本実施の形態においては、照明装置１の光度分布がグラフG1 となるように、各発光部１１の出射光量が調整される。  
【００５４】
以上のように、上述した実施形態によれば、照度ピーク領域が照射領域の中心部からずれる場合に対応可能な照明装置を提供することができる。結果として、エーミングの時間を短縮することができる。  
【００５５】
さらに、上述したような光度分布を有する照明装置を用いることにより、グレアを抑制することもできる。
【００５６】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５７】
１…照明装置、２…照準器、２ａ…支持部材、２ｂ…ネジ、１１…発光部、１２…放熱体、１２ａ…底面部、１２ｂ…側壁部、１２ｃ…放熱フィン、１３…反射体、１４…カバー部、１４ａ…カバー、１４ｂ…枠体、１５…電源部、１６…アーム。
【図１】
2016066483.tif 000003
【図２】
2016066483.tif 000004
【図３】
2016066483.tif 000005
【図４】
2016066483.tif 000006
【図５】
2016066483.tif 000007